(57)【要約】【課題】新しいコミュニケーションの場を居住者に提供できる建築物を提供する。【解決手段】建築物はリビング２２に面するスキップフロア５０と、スキップフロア５０に設けられる主階段６０と、主階段６０とリビング２２との間に配置される収納棚７０とを備える。収納棚７０は動画および静止画の少なくとも一方を表示する表示装置３１０を収納可能である収納部８０を含む。収納部８０はリビング２２側に開口する。【選択図】図２
2020105698.tif 000002
【特許請求の範囲】
【請求項１】
リビングに面するスキップフロアと、
前記スキップフロアに設けられる主階段と、
前記主階段と前記リビングとの間に配置される収納棚とを備え、
前記収納棚は動画および静止画の少なくとも一方を表示する表示装置を収納可能である収納部を含み、
前記収納部は前記リビング側に開口する
建築物。
【請求項２】
前記収納棚は前記スキップフロアにおいてカウンターとして利用できる天板を備える
請求項１に記載の建築物。
【請求項３】
前記スキップフロアは前記主階段と前記収納棚との間に設けられるフロア通路をさらに備える
請求項２に記載の建築物。
【請求項４】
前記フロア通路の幅は前記スキップフロアにおいて前記収納棚が利用されている場合であっても、別の居住者が通過できる幅に設定される
請求項３に記載の建築物。
【請求項５】
前記スキップフロアに対する前記収納棚の前記天板の高さは前記スキップフロアに設置される椅子に腰掛けた状態での使用に適合するように設定される
請求項２〜４のいずれか一項に記載の建築物。
【請求項６】
前記収納棚の隣りに設けられ、前記リビングと前記スキップフロアとの間を移動するための補助階段をさらに備え、
前記補助階段は前記主階段の最も低い段と対向する位置に設けられる
請求項１〜５のいずれか一項に記載の建築物。
【請求項７】
前記主階段は手摺を含み、
前記手摺は前記主階段を利用する居住者を前記リビングから視認できるように構成される
請求項１〜６のいずれか一項に記載の建築物。
【請求項８】
前記主階段は前記収納棚と平行に設けられる
請求項１〜７のいずれか一項に記載の建築物。
【発明の詳細な説明】
【技術分野】
【０００１】
本発明はスキップフロアを備える建築物に関する。
【背景技術】
【０００２】
スキップフロアを備える建築物が知られている。例えば、特許文献１はスキップフロアの一例であるステージリビング(３１)が設けられる建築物を開示している。この建築物では、ピットリビング(２１)に面するようにステージリビング(３１)が設置される。通路スペース(１１)にはデスク(５１)、および、デスク(５１)を利用するための椅子が設置される。
【先行技術文献】
【特許文献】
【０００３】
【特許文献１】特開２００９−４６９２５号公報
【発明の概要】
【発明が解決しようとする課題】
【０００４】
スキップフロアを備える建築物は空間の効率的な利用、および、アクティブな空間の形成等のような新たな付加価値を居住者に提供する。これらの付加価値は主にスキップフロアにより提供される。スキップフロア単独ではなく、スキップフロアと他の要素との関係に視点を合わせた場合、スキップフロアを利用したさらなる付加価値の提供の余地が存在すると考えられる。特許文献１の建築物では、ステージリビング(３１)からデスク(５１)を利用する居住者と、椅子に座る居住者とがコミュニケーションを取ることができる。これは、居住者が椅子に座ることを前提としたスキップフロアを利用した新たなコミュニケーションの場の提供に相当する。このような場とは別に、居住者の自然な動きを利用したコミュニケーションの場が提供されることにより、居住空間の付加価値が一層高くなると考えられる。
【課題を解決するための手段】
【０００５】
(１)本発明に関する建築物はリビングに面するスキップフロアと、前記スキップフロアに設けられる主階段と、前記主階段と前記リビングとの間に配置される収納棚とを備え、前記収納棚は動画および静止画の少なくとも一方を表示する表示装置を収納可能である収納部を含み、前記収納部は前記リビング側に開口する。
上記建築物によれば、リビングを利用する居住者は表示装置が表示する動画および静止画を見るため、収納棚を向く。別の居住者が主階段を利用している場合、収納棚を向くリビングを利用している居住者は主階段を利用している居住者が視界に入る。このため、リビングを利用する居住者と主階段を利用する居住者とがコミュニケーションをとることができる。このように、上記建築物はリビングを利用する居住者と主階段を利用する居住者とのコミュニケーションが可能な居住空間を居住者に提供する。従来のスキップフロアが設けられる建築物では得られない新しいコミュニケーションの場が居住者に提供されることによって、居住者はその居住空間で生活することに関して高い価値を感じることができる。
【０００６】
(２)好ましい例では(１)に記載の建築物において、前記収納棚は前記スキップフロアにおいてカウンターとして利用できる天板を備える。
上記建築物によれば、スキップフロアにおいて収納棚を利用する居住者はリビングを向く。このため、スキップフロアにおいて収納棚を利用する居住者とリビングを利用する居住者とがコミュニケーションをとることができる。
【０００７】
(３)好ましい例では(２)に記載の建築物において、前記スキップフロアは前記主階段と前記収納棚との間に設けられるフロア通路をさらに備える。
上記建築物によれば、収納棚を向いているリビングを利用する居住者はフロア通路を利用する居住者が視界に入る。このため、リビングを利用する居住者とフロア通路を利用する居住者とがコミュニケーションをとることができる。
【０００８】
(４)好ましい例では(２)を引用する(３)に記載の建築物において、前記フロア通路の幅は前記スキップフロアにおいて前記収納棚が利用されている場合であっても、別の居住者が通過できる幅に設定される。
上記建築物によれば、スキップフロアにおいて収納棚を利用する居住者とフロア通路を利用する居住者とがコミュニケーションをとることができる。
【０００９】
(５)好ましい例では(２)〜(４)のいずれか一項に記載の建築物において、前記スキップフロアに対する前記収納棚の前記天板の高さは前記フロア通路に設置される椅子に腰掛けた状態での使用に適合するように設定される。
上記建築物によれば、居住者がスキップフロアにおいて収納棚を利用している場合であっても、リビングから主階段の見通しが良好になる。このため、居住者がスキップフロアにおいて収納棚を利用している場合であっても、リビングを利用する居住者と主階段を利用する居住者とがコミュニケーションを容易にとることができる。
【００１０】
(６)好ましい例では(１)〜(５)のいずれか一項に記載の建築物において、前記収納棚の隣りに設けられ、前記リビングと前記スキップフロアとの間を移動するための補助階段をさらに備え、前記補助階段は前記主階段の最も低い段と対向する位置に設けられる。
上記建築物によれば、リビングおよび主階段の一方を利用する居住者がリビングおよび主階段の他方を利用する場合に容易に移動できる。
【００１１】
(７)好ましい例では(１)〜(６)のいずれか一項に記載の建築物において、前記主階段は手摺を含み、前記手摺は前記主階段を利用する居住者を前記リビングから視認できるように構成される。
上記建築物によれば、リビングからの主階段の見通しが良好となるため、リビングを利用する居住者と主階段を利用する居住者とが容易にコミュニケーションをとることができる。
【００１２】
(８)好ましい例では(１)〜(７)のいずれか一項に記載の建築物において、前記主階段は前記収納棚と平行に設けられる。
上記建築物によれば、主階段を上る場合、および、主階段を下る場合において主階段を利用する居住者は横を向くことでリビングを利用する居住者とコミュニケーションをとることができる。このため、主階段を利用する居住者は楽な姿勢でリビングを利用する居住者とコミュニケーションをとることができる。
【発明の効果】
【００１３】
本発明に関する建築物によれば、新しいコミュニケーションの場を居住者に提供できる。
【図面の簡単な説明】
【００１４】
【図１】実施形態の建築物の１階の平面図。
【図２】図１の収納棚およびの周辺の構造を示す正面図。
【図３】図２の収納棚からカバーが取り外された状態の正面図。
【図４】図２の第１通路側からみた収納棚の斜視図。
【図５】図２の補助階段側からみた収納棚の斜視図。
【図６】図１の建築物の使用状態を示す図。
【発明を実施するための形態】
【００１５】
(実施形態)
図１を参照して、建築物２００の一例について説明する。建築物２００の一例は個別住宅または集合住宅である。図１等に示される例では、建築物２００は複数の階を含む個別住宅である。図１は個別住宅の１階の室内構造１０を示す平面図である。建築物２００の外壁２１０により囲まれる領域２００Ａは複数の壁２２０により区画される。領域２００Ａのうち複数の壁２２０により区画された箇所には、室内構造１０を構成する主な要素である室２０、通路３０、および、空間４０が形成される。
【００１６】
室２０、通路３０、および、空間４０の数、ならびに、配置は任意に選択可能である。一例では、室２０は玄関ホール２１、リビング２２、ダイニングキッチン２３、シューズインクローゼット２４、和室２５、オフィスルーム２６、リビングクローク２７、および、パントリー２８を含む。
【００１７】
通路３０は第１通路３１および第２通路３２を含む。第１通路３１は玄関ホール２１、リビング２２、および、ダイニングキッチン２３に面する。第２通路３２は和室２５およびオフィスルーム２６に面する。リビング２２には家具が設置される。一例では、リビング２２にはソファ４１０、椅子４２０、および、テーブル４３０が設置される。ソファ４１０は例えば、第１通路３１に沿う位置、および、収納棚７０に対向する位置に設置される。椅子４２０はリビング２２の任意の位置に設置される。テーブル４３０はソファ４１０に腰掛けた居住者５２０(図６参照)が利用できる位置に設置される。リビング２２の床２２Ａ(図２参照)はスキップフロア５０の床５１、および、第１通路３１よりも低い。第１通路３１はスキップフロア５０の床５１よりも低い。
【００１８】
空間４０は第１壁２２１、第２壁２２２、第３壁２２３、および、第４壁２２４によって規定される空間である。第１壁２２１は第１部分２２１Ａおよび第２部分２２１Ｂを含む。第１部分２２１Ａは空間４０と玄関ホール２１とを区画する。第２部分２２１Ｂは第１部分２２１Ａと繋がる。第２部分２２１Ｂは建築物２００の外と空間４０とを区画する。第２壁２２２は第１壁２２１の第２部分２２１Ｂと繋がる。第２壁２２２は建築物２００の外と空間４０とを区画する。第３壁２２３は第２壁２２２と繋がる。第３壁２２３は建築物２００の外と空間４０とを区画する。第４壁２２４は第３壁２２３と繋がる。第４壁２２４は建築物２００の外と空間４０およびリビング２２とを区画する。空間４０にはスキップフロア５０が設けられる。
【００１９】
建築物２００は従来のスキップフロア５０が設けられる建築物では得られない新しいコミュニケーションの場を居住者に提供するための構造(以下「付加価値構造１１」という)をさらに備える。付加価値構造１１を構成する主な要素は主階段６０、収納棚７０、フロア通路１００、および、補助階段１１０である。付加価値構造１１を構成する主な要素は室内構造１０の概ね中央に設けられる。
【００２０】
主階段６０はスキップフロア５０に設けられる。主階段６０は建築物２００の１階と２階(図示略)とを繋ぐ。主階段６０は例えば収納階段である。スキップフロア５０における主階段６０の設置態様は任意に選択可能である。図１等に示される例では、主階段６０は収納棚７０と平行、換言すれば、第１壁２２１と平行となるように設置される。主階段６０を上る場合、および、主階段６０を下る場合において主階段を利用する居住者５１０(図６参照)は横を向くことでリビング２２を利用する居住者５２０、５３０(図６参照)とコミュニケーションをとることができる。このため、主階段６０を利用する居住者５１０は楽な姿勢でリビング２２を利用する居住者５２０、５３０とコミュニケーションをとることができる。
【００２１】
図２に示されるように、主階段６０は複数の段６１および手摺６２を含む。手摺６２の構成は任意に選択可能である。好ましい例では、手摺６２は主階段６０を利用する居住者がリビング２２から視認できるように構成される。リビング２２からの主階段６０の見通しが良好となるため、リビング２２を利用する居住者５２０、５３０(図６参照)と主階段６０を利用する居住者５１０(図６参照)とが容易にコミュニケーションをとることができる。図２等に示される例では、手摺６２は主階段６０を利用する居住者によって把持される一対の把持部６２Ａ、および、複数の支持部６２Ｂを含む。一対の把持部６２Ａのうちの一方の把持部６２Ａは複数の支持部６２Ｂによって支持される。複数の支持部６２Ｂは複数の段６１が並ぶ方向において、所定の間隔をあけて設けられる。複数の支持部６２Ｂは複数の段６１に結合される。一対の把持部６２Ａのうちの他方の把持部６２Ａは第１壁２２１に固定される。第１壁２２１を利用して主階段６０が設置されるため、主階段６０の構成を簡素化できる。
【００２２】
収納棚７０は主階段６０とリビング２２との間に配置される。収納棚７０はリビング２２側およびスキップフロア５０側から利用できるように構成される。図３に示されるように、収納棚７０は中空状の収納部８０、および、収納部８０の内部の空間８０Ｘを区画する区画部９０を備える。収納部８０は一対の側板８１、天板８２、底板８３、および、背板８４(図４参照)を備える。一対の側板８１、天板８２、および、底板８３は空間８０Ｘが形成されるように結合される。収納部８０はリビング２２側に開口する第１開口部８０Ａ、および、スキップフロア５０側に開口する第２開口部８０Ｂ(図４参照)を含む。一対の側板８１のうちの一方の側板８１はリビング２２の床２２Ａに支持される。一対の側板８１のうちの他方の側板８１は第１通路３１(図４参照)に支持される。天板８２は一対の側板８１に接合される。底板８３はリビング２２の床２２Ａに支持される。背板８４(図４参照)は第２開口部８０Ｂの一部を閉じるように一方の側板８１および天板８２に接合される。
【００２３】
区画部９０は収納部８０をリビング２２側およびスキップフロア５０側から利用できるように空間８０Ｘを区画する。図３に示されるように、区画部９０は第１区画部９１、第２区画部９２、および、第３区画部９３を含む。第１区画部９１は動画および静止画の少なくとも一方を表示する表示装置３１０を設置できるように空間８０Ｘに配置される。表示装置３１０は例えば、テレビ受像機、ディスプレイ、および、スクリーンである。テレビ受像機の一例は薄型テレビおよびブラウン管テレビである。図２等に示される例では、表示装置３１０は薄型テレビである。空間８０Ｘにおける表示装置３１０の設置方法は任意に選択可能である。図２等に示される第１例では、表示装置３１０は第１区画部９１に支持されるように設置される。第１例の場合、表示装置３１０はいわゆる壁掛け型である。第２例では、表示装置３１０は底板８３に支持されるように設置される。第２区画部９２には、例えば床置型の空調機器３２０が配置される。床置型の空調機器３２０の一例はエアーコンディショナー、石油ファンヒーター、ガスファンヒーター、および、空気清浄機である。第３区画部９３には、例えば表示装置３１０と接続される録画再生機器３３０が配置される。録画再生機器３３０の一例はＢＤ(Blu-ray Disc)(登録商標)レコーダーおよびＤＶＤレコーダーである。表示装置３１０、空調機器３２０、および、録画再生機器３３０の電源(図示略)は例えば、リビング２２の床２２Ａに設けられる。収納部８０には、第２区画部９２および第３区画部９３を遮蔽するカバー８５(図２参照)が取り付けられる。カバー８５は収納部８０に対して着脱可能である。カバー８５には、空気が通過できるように複数の孔８５Ａが設けられる。
【００２４】
図４に示されるように、第２開口部８０Ｂのうちの背板８４によって閉じられていない箇所には１または複数の椅子３４０が配置される。椅子３４０に腰掛けた居住者は収納部８０の天板８２をカウンターとして利用できる。スキップフロア５０における収納棚７０の典型的な使用形態では、スキップフロア５０において収納棚７０を利用する居住者５４０(図６参照)はリビング２２を向く。このため、スキップフロア５０において収納棚７０を利用する居住者５４０とリビング２２を利用する居住者５２０、５３０(図６参照)とがコミュニケーションをとることができる。居住者５４０はカウンターを利用して様々な作業を実施できる。作業の一例は勉強、読書、ノート型パーソナルコンピュータ等の電子機器の利用、および、飲食である。典型的な例では、椅子３４０に腰掛けた居住者５４０の足はスキップフロア５０の床５１に置かれる。スキップフロア５０の床５１が足置台を兼ねているため、利便性が高められる。
【００２５】
図３に示されるリビング２２の床２２Ａに対する底板８３の高さＬＡは任意に選択可能である。好ましい例では、高さＬＡは底板８３に表示装置３１０が載せられた場合にリビング２２を利用する居住者が表示装置３１０が表示する動画および静止画を楽な姿勢で見ることができる高さに設定される。高さＬＡの最大値の一例は５００ｍｍである。高さＬＡの最小値の一例は１５０ｍｍである。高さＬＡの取り得る範囲の一例は１５０ｍｍ〜５００ｍｍである。高さＬＡの好ましい一例は３８０ｍｍである。
【００２６】
図３に示されるリビング２２の床２２Ａに対するスキップフロア５０の床５１の高さＬＢは任意に選択可能である。好ましい例では、高さＬＢは居住者に開放感を与えることができるように設定される。高さＬＢの最大値の一例は８００ｍｍである。高さＬＢの最小値の一例は１５０ｍｍである。高さＬＢの取り得る範囲の一例は１５０ｍｍ〜８００ｍｍである。高さＬＣの好ましい一例は７３７ｍｍである。
【００２７】
図４に示されるスキップフロア５０の床５１に対する天板８２の高さＬＣは任意に選択可能である。好ましい例では、高さＬＣはフロア通路１００に設置される椅子３４０に腰掛けた状態での使用に適合するように設定される。居住者５４０(図６参照)がスキップフロア５０において収納棚７０を利用している場合であっても、リビング２２から主階段６０の見通しが良好になる。このため、リビング２２を利用する居住者５２０、５３０と主階段６０を利用する居住者５１０(図６参照)とがコミュニケーションを容易にとることができる。高さＬＣの最大値の一例は８００ｍｍである。高さＬＣの最小値の一例は６００ｍｍである。高さＬＣの取り得る範囲の一例は６００ｍｍ〜８００ｍｍである。高さＬＣの好ましい一例は６８０ｍｍである。
【００２８】
図５に示されるように、フロア通路１００は主階段６０と収納棚７０との間に設けられる。収納棚７０を向いているリビング２２を利用する居住者５２０、５３０(図６参照)はフロア通路１００を利用する居住者５５０(図６参照)が視界に入る。このため、リビング２２を利用する居住者５２０、５３０とフロア通路１００を利用する居住者５５０とがコミュニケーションをとることができる。フロア通路１００の幅ＨＡは任意に選択可能である。好ましい例では、幅ＨＡはスキップフロア５０において居住者が収納棚７０の天板８２をカウンターとして利用している場合であっても、別の居住者が通過できるように設定される。このため、スキップフロア５０において収納棚７０を利用する居住者５４０(図６参照)とフロア通路１００を利用する居住者５５０とがコミュニケーションをとることができる。幅ＨＡの最大値の一例は１５００ｍｍである。幅ＨＡの最小値の一例は７５０ｍｍである。幅ＨＡの取り得る範囲の一例は７５０ｍｍ〜１５００ｍｍである。幅ＨＡの好ましい一例は１１０５ｍｍである。
【００２９】
図２に示される補助階段１１０はリビング２２とスキップフロア５０との間を移動するために利用される。補助階段１１０は収納棚７０の一方の側板８１と第４壁２２４との間に設けられる。補助階段１１０を利用する居住者は天板８２を手すりとして利用できる。このため、補助階段１１０の利用に関する安全性が高くなる。補助階段１１０を移動する居住者はさらに第４壁２２４を手すりとして利用できる。このため、補助階段１１０の利用に関する安全性が一層高くなる。補助階段１１０の段数は任意に選択可能である。図２等に示される例では、補助階段１１０の段数は３段である。補助階段１１０は主階段６０のうちの最も低い段６１と面する位置に設けられる。このため、リビング２２を利用する居住者５２０、５３０(図６参照)が主階段６０を利用する場合に、リビング２２から主階段６０に容易に移動できる。主階段６０を利用する居住者５１０(図６参照)がリビング２２を利用する場合に、主階段６０からリビング２２に容易に移動できる。
【００３０】
建築物２００によれば、次のような作用および効果が得られる。
図６に示されるように、リビング２２を利用する居住者５２０、５３０は表示装置３１０が表示する動画および静止画を見るため、収納棚７０を向く。別の居住者５１０が主階段６０を利用している場合、収納棚７０を向くリビング２２を利用する居住者５２０、５３０は主階段６０を利用する居住者５１０が視界に入る。このため、リビング２２を利用する居住者５２０、５３０と主階段６０を利用する居住者５１０とがコミュニケーションをとることができる。このように、実施形態の建築物２００はリビング２２を利用する居住者５２０、５３０と主階段６０を利用する居住者５１０とのコミュニケーションが可能な居住空間を居住者に提供する。従来のスキップフロア５０が設置される建築物では得られない新しいコミュニケーションの場が居住者に提供されることにより、居住者はその居住空間で生活することに関して高い価値を感じることができる。
【００３１】
(変形例)
上記実施形態は本発明に関する建築物が取り得る形態の例示であり、その形態を制限することを意図していない。本発明に関する建築物は実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００３２】
・建築物２００の構成は任意に変更可能である。第１変形例の建築物２００は第２壁２２２と平行に設けられる主階段６０を備える。第２変形例の建築物２００はフロア通路１００が省略される。第２変形例では、収納棚７０は主階段６０と接触するように設けられる。第２変形例では、収納棚７０はリビング２２側からのみ利用可能である。
【符号の説明】
【００３３】
１０：室内構造
２２：リビング
５０：スキップフロア
６０：主階段
６２：手摺
７０：収納棚
８０：収納部
１００：フロア通路
１１０：補助階段
２００：建築物
３１０：表示装置
３４０：椅子
【図１】
2020105698.tif 000003
【図２】
2020105698.tif 000004
【図３】
2020105698.tif 000005
【図４】
2020105698.tif 000006
【図５】
2020105698.tif 000007
【図６】
2020105698.tif 000008